(57)【要約】      （修正有）【課題】仮囲いシートを設置する場所の地形や、仮囲いシートの上下幅が足りないことなどにより、設置するシートの下方にシートに囲われない開口部（すき間）が生じるようなことがないように設置できる構造を備えた仮囲いシートを提供する。【解決手段】シート取付枠に取付けられる取付穴を有する矩形状のシートを本シートとし、シートの下部内側面に水平方向に面ファスナの一方の部材を設ける。シートの左右幅と同じ幅であるが、上下幅を小さく形成した横長帯状シートを補助シートとし、補助シートの上縁部外側面に、面ファスナと協働する面ファスナの他方の部材を設ける。補助シートの下部辺に単管を通すための筒状部を形成し、本シートを取付枠に取付けたとき生じる本シートの下方の残余空間に対し、補助シートを本シートの下部に両シートの面ファスナにおいて接続する。【選択図】図１
0003161345.tif 000002
【実用新案登録請求の範囲】
【請求項１】
鉛直な建地単管と該単管に結合される水平な単管により形成されたシート取付枠に取付けられる取付穴を有する矩形状のシートを本シートとし、該シートの下部内側面に水平方向に面ファスナの一方の部材を設ける一方、前記シートの左右幅と同じ幅であるが、上下幅を小さく形成した横長帯状シートを補助シートとし、該補助シートの上縁部外側面に、前記面ファスナと協働する面ファスナの他方の部材を設けると共に、当該補助シートの下部辺に単管を通すための筒状部を形成して成り、前記本シートを取付枠に取付けたとき生じる当該本シートの下方の残余空間に対し、前記補助シートを前記本シートの下部に両シートの面ファスナにおいて接続することにより、前記残余空間を塞ぐようにしたことを特徴とする仮囲い用シート。
【請求項２】
補助シートの下部筒状部に挿入した単管は、取付枠における建地単管にクランプにより固定した請求項１の仮囲い用シート。
【考案の詳細な説明】
【技術分野】
【０００１】
本考案は、建設現場の足場などの外側に設置し、当該現場内における釘，鉄筋片，木片，塵などの飛散を防止すると共に、その現場内で生じる工事音や作業音，塗料などの飛散を防ぐために用いられる仮囲い用シートに関する。
【背景技術】
【０００２】
建設現場の足場などの外側に設置される仮囲いシートは、従来から公知である。このような仮囲いシートのうち、現場の地上から２ｍ前後の高さに設置される例えば防音用の仮囲いシートは、鉛直向きで適宜の間隔で立設される建地単管と、前記の各建地単管を、それらの上部と下部において、各建地単管同士を結合するための連結用単管などによって、シート張設用の正面から見て矩形状をなす取付枠を形成し、この取付枠に、矩形状の仮囲いシート（以下、単に「シート」ともいう）をその上，下縁、或は、四周縁において結束して固定するような設置の仕方で用いられている。
【０００３】
ここで、仮囲いシートは、取付枠を形成している鉛直姿勢の建地単管や水平姿勢の連結用単管に、このシートの周縁において取付けるため、当該シートの周囲には取付用のハト目穴が設けられている。また、このような仮囲いシートに関しては、特許文献１〜３により公知である。
【０００４】
上記の単管により形成された仮囲いシート用の取付枠と、この取付枠に取付けられる矩形状の仮囲いシートによって現場を仮囲いすれば、諸々の物や音や塵などが外へ飛散するのを防ぐことができる。しかし、仮囲いする現場が傾斜地であったり、規定シートの縦幅（上，下幅）よりも少し高い仮囲いを必要とする現場があると、仮囲いの下締部にシートで囲まれないテーパーな帯状、或は、単純な帯状の残余開口部が残り完全な仮囲いを実現できない。
【０００５】
従来、上記のような問題に対しては、残余開口部を塞ぐことなく工事を行ったり、或は、残余開口部の発生を押えるため、通常シートの２枚を、大半を重複配置した形で配置することにより、シート取付枠の下方にシートに囲われない帯状の残余開口が生じないようにしている。
【０００６】
しかし、生じた残余開口を塞ぐことなく工事を進めることは、シートによる仮囲い効果が減殺されてしまうので好ましくなく、また、大半を重複させた形で通常シートの２枚を使用することは、仮設資材の無駄な使用にもなって不合理、かつ不経済である。
【先行技術文献】
【特許文献】
【０００７】
【特許文献１】特許第３０３０８１８号公報
【特許文献２】実用新案登録第３０２９２９６号公報
【特許文献３】実用新案平４−１１９０５７号公報
【考案の概要】
【考案が解決しようとする課題】
【０００８】
本考案は、上記のような現状の仮囲いシートの持つ問題点に鑑み、仮囲いシートを設置する場所の地形や、仮囲いシートの上下幅が足りないことなどにより、設置するシートの下方にシートに囲われない開口部（すき間）が生じるようなことがないように設置できる構造を備えた仮囲いシートを提供することを、その課題とする。
【課題を解決するための手段】
【０００９】
上記課題を解決することを目的としてなされた本考案仮囲いシートの構成は、鉛直な建地単管と該単管に結合される水平な単管により形成されたシート取付枠に取付けられる取付穴を有する矩形状のシートを本シートとし、該シートの下部内側面に水平方向に面ファスナの一方の部材を設ける一方、前記シートの左右幅と同じ幅であるが、上下幅を小さく形成した横長帯状シートを補助シートとし、該補助シートの上縁部外側面に、前記面ファスナと協働する面ファスナの他方の部材を設けると共に、当該補助シートの下部辺に単管を通すための筒状部を形成して成り、前記本シートを取付枠に取付けたとき生じる当該本シートの下方の残余空間に対し、前記補助シートを前記本シートの下部に両シートの面ファスナにおいて接続することにより、前記残余空間を塞ぐようにしたことを特徴とするものである。
【考案の効果】
【００１０】
本考案仮囲いシートでは、通常シート（本シートともいう）の下部縁に面ファスナー部材を設ける一方、横長の帯状シートの上部縁に前記ファスナー部材と協働する面ファスナー部材を設けると共に当該帯状シートの下部辺を単管を挿通するための筒状部に形成したので、シート取付枠に通常シートを取付けたとき、その下部に前記シートに囲われない帯状の残余空間が生じても、下端辺に単管を保持した帯状シートを前記通常シートの下端部に面ファスナを介して結合接続することができるから、通常シートのみでは生じていた残余空間の発生を未然に防ぐことができる。
【図面の簡単な説明】
【００１１】
【図１】本考案仮囲いシートの施工態様の一例の正面図。
【図２】図１の拡大した左側面図。
【図３】クランプの一例を示す図であって、（ａ）は側面図、（ｂ）は正面図。
【考案を実施するための形態】
【００１２】
次に、図を参照して本考案仮囲いシートの実施の形態例について説明する。図において、１は鉛直姿勢で等ピッチ、例えば１８００〜２０００ｍｍ程度の間隔で、仮囲いしたい工事現場等の地面Ｇに立設した複数本の建地単管、２，３は前記単管１の上，下部をそれぞれ水平姿勢の管で結合してシート取付枠Ｆｓを形成するために用いた水平単管である。図示した例では、鉛直な建地単管１と水平単管２，３とは、４本の建地単管１と、これらの単管１の上，下部を水平方向において結合する水平単管２，３によって、図示した実施例における一枚のシート４の取付枠Ｆｓを形成している。
【００１３】
上記のシート取付枠Ｆｓは、工事現場の仮囲い場所において安定に自立させるため、裏面側（工事区域内側）において、各建込単管１に、縦向きの打込管１１、水平支管１２、斜めの支保管１３により形成される支持体Ｓｐを設けている。
【００１４】
一方、仮囲い用のシート４は、その周囲にハト目式の取付穴４１が適宜ピッチで規則的に設けられており、この穴４１に通した結束紐ｗや単管１，２，３に緊締して取付けたクランプ５（図３参照）が備える略Ｌ状に曲げられた係止ピン５２によって、このシート４の周囲が前記単管１〜３に取付けられることにより取付枠Ｆｓに、図示の態様で取付けられる。なお、クランプ５は、２つ割タイプのボルト締め方式のものでクランプ本体５１の下面にＬ字状の係止ピン５２を備えている。５３は開閉片、５４は緊締ボルトである。シート４の内側に描かれた点線は折返し縁を示す。
【００１５】
図１に示したシート４の張設例では、地面Ｇが図の右方に向って下り傾斜面であることと、シート４の上下幅が取付枠Ｆｓの高さ方向の幅（長さ）より小さいことによって、地面Ｇと下方の水平単管３との間に、残余の空間（シート４に覆われない部位Ｈｕ）が生じる（図１のシート下方に斜線で表わされた部分参照。）
【００１６】
そこで本考案では、まず上記の残余空間Ｈｕが生じる問題に対処するため、シート４の下端部辺の内面側（図２の左側面）に、面ファスナーの雄部材又は雌部材（いずれか一方の部材４ａ）を、横長の帯状に設けた構成を採った。
【００１７】
一方、残余空間Ｈｕを塞ぐために使用する補助シート６は、全体として前記空間Ｈｕの上下幅よりも大き目の上下幅を有し、かつ、前記シート４の左右幅と同等の幅を有する帯状シート材により形成され、かつ、このシート６の上部外面に、前記シート４の面状ファスナ部材４ａと協働する面状ファスナ部材６ａ（４ａが雄部材であれば６ａは雌部材）を設けると共に、このシート６の下部辺に、補助シート用の単管７を挿入保持するための筒状部６ｂを形成したシート６である。
【００１８】
横長帯状の補助シート６は、上記のように形成したので、仮囲い用の本シート４を取付枠Ｆｓに取付けたとき、そのシート４の下方に残余空間Ｈｕが生じても、当該空間Ｈｕの部位に、補助シート６をその面ファスナ部材６ａを、本シート４の面ファスナ部材４ａに絡着させることにより、当該補助シート６を本シート４の下端部辺から下方に垂下させて前記の残余空間Ｈｕを塞ぐことができる。
【００１９】
しかも、この補助シート６は、その下端部辺に形成した筒状部６ｂに、補助シート用単管７を挿通した状態で保持させているので、補助シート６がツレたりシワになったりすることなく、本シート４の下部に合着態様で接続することができる。
【００２０】
加えて、補助シート６の筒状部に挿入されて保持されている単管７は、建込単管１と交差する箇所において、前記クランプ５によって取付枠Ｆｓの単管１に結合されるので、残余空間塞ぎ用の補助シート６が風などにあおられてバタつくこともない。
【産業上の利用可能性】
【００２１】
本考案は以上の通りであって、通常シート（本シートともいう）の下部縁に面ファスナー部材を設ける一方、横長の帯状シートの上部縁に前記ファスナー部材と協働する面ファスナー部材を設けると共に当該帯状シートの下部辺を単管を挿通するための筒状部に形成したので、シート取付枠に通常シートを取付けて下部に前記シートに囲われない帯状の残余空間が生じても、下端辺に単管を保持した帯状シートを前記通常シートの下端部に面ファスナを介して結合することができるから、残余空間を塞ぐことができる。
【符号の説明】
【００２２】
１      建地単管
２，３  水平単管
Ｆｓ    仮囲いシートの取付枠
４      仮囲い用のシート（通常シート又は本シート）
４ａ    面ファスナ部材
５      クランプ
５１    クランプのピン
Ｈｕ    残余空間
６      補助シート
６ａ    面ファスナー部材
７      補助シート用単管
【図１】
0003161345.tif 000003
【図２】
0003161345.tif 000004
【図３】
0003161345.tif 000005